(57)【要約】【課題】一般的なカラーテストチャートは、例えば、ＩＴ８．７３（９２８計測フィールド）およびＥＣＩ２００２（１４４０計測フィールド）である。そのような大きなカラーテストチャートは、とても時間を浪費し、通常のユーザ（例えば私的使用のユーザ）にとって費用がかかる。【解決手段】イメージ作成デバイス、特にプリンタの線形化および特性化のために、カラーテストチャートが、定められたデバイスカラー値を持つ比較的少数のカラー計測フィールドからデバイスによるカラーにしたがって、再生および計測され、関連したカラー値は、各カラー計測フィールドに関して決定される。デバイスカラー値およびテストチャートの計測されたカラー値に基づいて、線形化曲線がデバイスに関して計算され、さらにデバイスカラー値および計測されたカラー値の解析により計算される。【選択図】図１
2006254436.tif 000002
【特許請求の範囲】
【請求項１】
イメージ作成デバイス、特にプリンタの線形化および特性化のための処理方法であり、上記デバイスにより、カラーテストチャートが再生され、上記再生されたカラーテストチャートは、定義されたデバイスカラー値を持つ多くのカラー計測フィールドから構成され、各カラー計測フィールドに関連するカラーおよび上記カラー値が決定されるように、上記再生されたカラーテストチャートが計測され、上記デバイスカラー値からおよび上記決定されたカラー値から、上記デバイスに関するプロファイルが計算される処理方法であって、
比較的少ない数のカラー計測値フィールドを持つカラーテストチャート（ＴＣ）が使用され、再生されて、カラーに関して計測され、それは、上記デバイスカラー値（Ｄｅｖ（ｉ））に基づき、上記テストチャート（ＴＣ）線形化曲線（ＬＣ）の上記計測されたカラー値（ＰＣＳ（ｉ））が、上記デバイスに関して計算され、それは、線形化曲線（ＬＣ）、デバイスカラー値（Ｄｅｖ（１））、および上記テストチャート（ＴＣ）の計測されたカラー値（ＰＣＳ（ｉ））に基づき、そこから導かれる上記デバイスの挙動に関する情報は、拡張デバイスカラー値（ＤｅｖＥｘ（ｊ））および関連する拡張カラー値ＰＣＳＬｅｘ（ｊ）により計算される拡張カラーテストチャート（ＴＣｅｘ）の計算に使用され、上記拡張カラーテストチャート（ＴＣｅｘ）内の上記カラー計測フィールドの上記数は、上記オリジナルテストチャート（ＴＣ）内の上記カラー計測フィールドの上記数よりも著しく多いことと、上記デバイスに関する上記プロファイルが、上記拡張デバイスカラー値（ＤｅｖＥｘ（ｊ））および上記拡張カラー値（ＰＣＳＬｅｘ（ｊ））から計算されることとを特徴とする処理方法。
【請求項２】
請求項１に記載の処理方法であって、
上記デバイスカラー値（Ｄｅｖ（ｉ））および上記テストチャート（ＴＣ）の上記計測されたカラー値（ＰＣＳ（ｉ））に基づき、線形化されたデバイスカラー値（ＤｅｖＬ（ｉ））を持つ線形化されたテストチャート（ＴＣ）が、上記デバイスのモデリングにより計算され、対応する線形化されたカラー値ＰＣＳＬ（ｉ）が計算されることと、上記線形化されたデバイスカラー値（ＤｅｖＬ（ｉ））および上記線形化されたカラー値（ＰＣＳＬ（ｉ））から、変換表（Ｄｅｖｉｃｅ２ＰＣＳ）が計算され、それは、上記線形化されたデバイスカラー値（ＤｅｖＬ（ｉ））および上記線形化されたカラー値（ＰＣＳＬ（ｉ））の間の関係のテーブル形式で表されることと、上記拡張カラーテスト（ＴＣｅｘ）が、上記拡張デバイスカラー値（ＤｅｖＥｘ（ｊ））および上記関連する拡張カラー値（ＰＣＳＬｅｘ（ｊ））を持つ上記変換表（Ｄｅｖｉｃｅ２ＰＣＳ）により計算されることとを特徴とする処理方法。
【請求項３】
請求項１に記載の処理方法であって、上記デバイスカラー値（Ｄｅｖ（ｉ））および上記関連する計測されたカラー値（ＰＣＳ（ｉ））から、グラジエントマトリックス（Ｄｅｖ２ＰＣＳ）が計算され、それは、好ましくは上記カラー空間の中央の近傍で、上記デバイスカラー値および上記計測されたカラー値の間の微分関係を記述することと、このグラジエントマトリックス（Ｄｅｖ２ＰＣＳ）は、上記デバイスのモデリング、特に上記変換表（Ｄｅｖｉｃｅ２ＰＣＳ）の計算のために使用されることとを特徴とする処理方法。
【請求項４】
請求項１にかかる処理方法を実施する装置であって、上記線形化曲線（ＬＣ）が、上記プロファイル（Ｐ）の上記出力曲線に統合されることを特徴とする装置。
【発明の詳細な説明】
【技術分野】
【０００１】
本発明は、独立請求項の序文にかかるＲＧＢまたはＣＹＭＫイメージ作成デバイスの線形化および特性化処理方法に関する。
【０００２】
本発明はグラフィック処理、特に、ワークフロー、特にプリンタに使用されるイメージ作成デバイスに関する。
【背景技術】
【０００３】
典型的なグラフィック処理のワークフローは、異なるイメージ作成デバイスを使用し、イメージの作成、鑑賞、修正、および出力、特に印刷の可能性をユーザに提供する。ワークフローは、通常、デジタルカメラおよびスキャナなどの入力デバイスを用いたイメージキャプチャステップから、例えばモニタなどの表示デバイスを用いた鑑賞ステップへ、そして、例えばプリンタなどの出力デバイスを用いた出力ステップへ広がる。したがって、ユーザは、出力ステップで、基礎をなすオリジナルに可能な限り近いか、または、個人の概念により「素晴らしい」または「魅力的である」と考えられるかのどちらかのイメージを目指す。
【０００４】
イメージ作成デバイス（例えばＣＣＤ、フィルタ、インクジェット、等）の間の技術的差異のために、共通色記述言語（ｃｏｍｍｏｎ  ｃｏｌｏｕｒ  ｄｅｓｃｒｉｐｔｉｏｎ  ｌａｎｇｕａｇｅ）を含むデバイスを第１に調整する必要性が存在する。したがって、最も重要な点の１つは、介在する各イメージ作成デバイスの線形化および特性化である。
【０００５】
線形化は、その時間のほとんどを、デバイスの製造業者により実行され、特別な知識と多くの時間とを必要とする。ＩＣＣ（Ｉｎｔｅｒｎａｔｉｏｎａｌ  Ｃｏｌｏｕｒ  Ｃｏｍｍｉｔｔｅｅ）は、特性化において何が理解されるべきかを定めた。ＩＣＣカラープロファイルは、各イメージ作成デバイスに割り当てられ、各デバイスがデバイスの色能力／制限を記述する。
【発明の開示】
【発明が解決しようとする課題】
【０００６】
イメージ作成デバイスに関するＩＣＣプロファイルの生成は、比較的長期にわたる過程であって、その過程は、他の事柄の間で、再生カラーテストチャートに関する何百もの個々のテストフィールドの比色分析評価だけでなく、各デバイスによるカラーテストチャートの再生（例えば印刷）を含む。ＩＣＣにより設定された標準カラーテストチャートがしばしば使用されるけれども、プロファイル生成ソフトウェアの製造業者の特別なカラーテストチャートも使用される。一般的なカラーテストチャートは、例えば、ＩＴ８．７３（９２８計測フィールド）およびＥＣＩ２００２（１４４０計測フィールド）である。そのような大きなカラーテストチャートは、とても時間を浪費し、通常のユーザ（例えば私的使用のユーザ）にとって費用がかかる。
【０００７】
次にこの問題は、本発明により、解決するために努力され、特に、より速く、より複雑でない、任意のイメージ作成デバイスの線形化および特性化の、特にプリンタから構成される可能性が提供される。特に本発明にかかる処理方法は、著しく小さなカラーテストチャートで動作する可能性を提供することであり、それは、品質を損なわずに、著しく少ない計測フィールドを含むことを意味する。典型的に、ＲＧＢデバイス（プリンタ）には４５のカラー計測フィールドで十分であり、ＣＭＹＧデバイス（プリンタ）には約３４の計測フィールドで十分である。
【０００８】
本発明の別の目的は、上に説明したより速い線形化および特性化に基づくプリントヘッド、インク、および印刷媒体（紙）を考慮したプリンタの性能の「知的」解析用の方法を提供することである。
【課題を解決するための手段】
【０００９】
本発明の基礎にあるこれらの目的は、独立請求項を特徴とする本発明にかかる処理方法により達成される。
【００１０】
本発明にかかる処理方法の好ましい実施の形態およびさらなる進歩は、従属請求項の目指すところである。
【発明を実施するための最良の形態】
【００１１】
本発明は、さらに、図を参照して以下に説明し、例えばプリンタに関連して説明する。唯一の図は、本発明にかかる処理方法の最も重要なステップのフローチャートを示す。図のブロック１で示されるように、標準（デフォルト設定）にしたがって設定されたプリンタにより開始する。
【００１２】
本発明にかかる処理方法に関して、以下ではテストチャートとも呼ぶあらかじめ定められたカラーテストチャートＴＣが使用され、そのテストチャートは、ＲＧＢプリンタに関しては４５のカラー計測フィールド、ＣＭＹＫプリンタに関しては３４のカラー計測フィールドをもつ。テストチャートは、カラー計測フィールドの各々、典型的には正方形の各々に関し、デバイスカラー値Ｄｅｖ（１）により定められ、デバイスカラー値は以下では、カラーパッチとも呼ぶ。したがって、指数ｉは、カラー計測フィールドの各々を表し、１からテストチャートのカラー計測フィールドの数まであり、すなわち、１．．．ｉ．．．ｎｕｍｏｆＴＣｐａｔｃｈｅｓであり、ｎｕｍｏｆＴＣｐａｔｃｈｅｓは例えばＲＧＢデバイスでは４５、例えばＣＭＹＫデバイスでは３４である。カラー計測フィールドは、色空間の中央軸に沿った異なるモノクロ階調だけでなく、相応して累進的な形（０、２５、５０、７５、１００％）で主な色（ＲＧＢまたはＣＭＹＫ）をも表す。
【００１３】
次に、カラーテストチャートは、標準にしたがって調整されたプリンタによるデバイスカラー値Ｄｅｖ（ｉ）を使用して第１の処理方法ステップ（ブロック２）で印刷される。
【００１４】
次のステップでは、印刷されたカラーテストチャートが、分光側光器またはカラー計測デバイスによるカラー（ブロック３）に従って走査される。したがって、各カラー計測フィールドに関する計測結果は、一組のスペクトル値（例えば、可視スペクトル値である３８０−７６０ｎｍにわたる３８のスペクトルエネルギー値）または一組のＬ、ａ、ｂ値である。各カラー計測フィールドｉに関するカラー値の計測されたスペクトル値は、以下では、ＰＣＳ（ｉ）と呼び、ｉは、再び、１．．．ｎｕｍｏｆＴＣｐａｔｃｈｅｓである。したがって、デバイスカラー値Ｄｅｖ（１）は、計測されたスペクトルまたはカラー値ＰＣＳ（ｉ）の上記ｉに対応し、それにより、印刷されたカラー計測フィールドｉの各々の色を定量化する。
【００１５】
以下で、“Ｄｅｖ”は「デバイス」を表し、“ＰＣＳ”は「出力カラー空間」または「プロファイル連結空間」を表す。
【００１６】
デバイスカラー値Ｄｅｖ（１）および計測されたカラー値ＰＣＳ（１）の全体は、カラーデータバンクを形成し、カラーデータバンクは、デバイスのイメージ作成行為を記述し、データバンクは、以下の２つの処理方法ステップ（ブロック４およびブロック５）では、異なる情報の生成に関して解析され、解釈される。
【００１７】
第１の情報は、使用される印刷カラーの状態に関し、それは、印刷されたカラーが、定められた規格の中にあるか否かの指示を意味する。したがって、計測されたカラー値、またはカラーテストチャートＴＣの個々の印刷カラーの全色調から計算される色調、輝度、および彩度値を考慮に入れる。これらの値が本明細書の範囲外になると、この処理方法は終了し、対応する通知がユーザに出力される。
【００１８】
第２の情報は、デバイス、特にプリンタの線形化状態に関し、デバイスカラー値か、個々の印刷カラーＲＧＢまたはＣＭＹＫに関する計測されたカラー値かのどちらがどの程度線形かに関する情報を意味する。累進的単色カラー計測フィールドから、デバイスカラー値および関連する計測カラー値もここでは使用する。
【００１９】
第３の情報は、デバイス、特にプリンタの挙動に関し、印刷カラーの徐々の変更に関する。この挙動は、グラジエントマトリックスＤｅｖ２ＰＣＳにより表され、それは、デバイスカラー値Ｄｅｖ（１）および計測されたカラー値ＰＣＳ（ｉ）の間の微分（段階的）関係を表す。したがって、グラジエントマトリックスは、色空間の中央に関して決定され、色空間の中央の近傍に存在するカラーテストチャートＴＣのカラー計測フィールドのデバイスカラー値Ｄｅｖ（１）および関連するカラー値ＰＣＳ（１）から好ましくは決定される。
【００２０】
次のステップ（ブロック６）では、線形化曲線ＬＣは、プリンタに使用される印刷カラーに関して計算される。これらの線形化曲線ＬＣは、各印刷カラーに関するデバイスカラー値Ｄｅｖ（ｉ）に関する修正値を（表の形で）記述し、それは、カラー値ＰＣＳ（ｉ）が、デバイスカラー値Ｄｅｖ（ｉ）に関して線形にふるまうことにつながる（理想的なリニアプリンタでは、これらの修正値は、もちろん全て０である。）上述のカラーデータバンクも、線形化曲線ＬＣの計算に使用される。したがって、実際には、相応して累進的な単色カラー計測フィールドの輝度値（Ｌ）が各印刷カラーに関して解析されるように、進行する。次に、３次の多項式のスプライン関数により、例えば１００のサポート位置でのそれに続く離散化により、線形化曲線ＬＣは、デバイスカラー値Ｄｅｖ（１）および関連するカラー値ＰＣＳ（ｉ）のＬ値から計算され、表形式に格納される。
【００２１】
次のステップ（ブロック８）では、線形化カラー値ＰＣＳＬ（ｉ）が計算される。この計算は、線形化されたカラーテストチャートＴＣＬのリアル印刷の数学的再生（モデル）に対応し、オリジナルデバイスカラー値Ｄｅｖ（ｉ）の代わりに、線形化されたデバイスカラー値ＤｅｖＬ（ｉ）が、プリンタに関するカラーコントロール値として使用され、印刷において期待される線形化されたカラー値ＰＣＳＬ（ｉ）が、あらかじめ計算される。このあらかじめの計算は、数学的モデルにより実行でき、その数学的モデルはプリンタのイメージ作成行為を記述する。したがって、既に述べたグラジエントマトリックスＤｅｖ２ＰＣＳは、適切なモデルの本質的なコンポーネントである。さらに、印刷カラー定式化方法も含むことができる。
【００２２】
次に、この線形化デバイスカラー値ＤｅｖＬ（ｉ）および線形化カラー値ＰＣＳＬ（ｉ）から、補間と印刷カラー定式化により、グラジエントマトリックスＤｅｖ２ＰＣＳの助けを借りて、以下のステップ（ブロック９）で、変換表Ｄｅｖｉｃｅ２ＰＣＳを計算し、それは（線形化された）デバイスカラー空間Ｄｅｖを出力カラー空間ＰＣＳに結合し、出力カラー値設定Ｌａｂは各デバイスカラー値設定ＲＧＢまたはＣＭＹＫに対応し、変換表は、好ましくは、印刷可能なカラー空間全体をカバーする。
【００２３】
次のステップ（ブロック１０）では、拡張されたカラーテストチャートＴＣｅｘが、変換表Ｄｅｖｉｃｅ２ＰＣＳに基づく補間により計算され、それにより、オリジナルの数に関連する拡張カラーテストチャートが、著しく多い数のカラー計測フィールドを持つ。この拡張カラーテストチャートＴＣｅｘのデバイスカラー値は、ＤｅｖＥｘ（ｊ）と呼び、ｊは１からＮｕｍＯｆＥｘｔｅｎｄｅｄＰａｔｃｈｅｓの値をとり、ＮｕｍＯｆＥｘｔｅｎｄｅｄＰａｔｃｈｅｓは、提供されるカラー計測フィールドの全体数である（オリジナルおよび拡張）。
【００２４】
以下のステップ（ブロック１１）では、変換表Ｄｅｖ２ＰＣＳに基づいて、拡張デバイスカラー値ＤｅｖＥｘ（ｊ）に関する拡張カラー値ＰＣＳＬｅｘ（ｊ）も、可能ならば補間により計算する。その拡張カラー値ＰＣＳＬｅｘ（ｊ）は、期待されるカラーテストチャートＴＣｅｘが印刷されると、期待されるカラー計測値に対応する。
【００２５】
次に、ＩＣＣデバイスプロファイルＰが、一般的に知られている方法で、市販のプロファイル生成ソフトウェアにより、拡張デバイスカラー値ＤｅｖＥｘ（ｊ）および関連する拡張カラー値ＰＣＳＥｘ（ｊ）から以下のステップ（ブロック１２）で計算される。
【００２６】
最後のステップ（ブロック１３）では、線形化曲線ＬＣが既知の方法でデバイスプロファイルに統合され、それは、線形化曲線ＬＣが、プロファイルＰのいわゆるＢ２Ａテーブルの出力曲線に加えられたＩＣＣの標準に従う。
【図面の簡単な説明】
【００２７】
【図１】本発明にかかる方法のフローチャート
【図１】
2006254436.tif 000003